(57)【特許請求の範囲】
【請求項１】
ズームレンズを有し、撮像された映像信号から任意の１フィールドまたは１フレームの信号を抽出して記録する電子スチルカメラ装置であって、
前記撮影時に前記ズームレンズ位置を変化させてズームを行うズーム手段と、
前記撮像された映像信号の表示される液晶ディスプレイと、
この液晶ディスプレイに装着されるタッチパネルと、
前記液晶ディスプレイに表示される画像に重畳して表示面の中心に対して同心で前記表示面の外枠と相似の矩形の複数のズーム枠をグラフィック表示するグラフィック表示手段と、
前記ズームレンズ位置を変化させることにより、前記タッチパネルにより前記複数の中から指示された前記ズーム枠が前記表示面の外枠と一致するように前記ズーム手段を制御する制御手段と
を有することを特徴とする電子スチルカメラ装置。
【請求項２】
請求項１記載の電子スチルカメラ装置において、
前記ズームレンズを通じて撮像された映像信号を記録する記録手段を有する
ことを特徴とする電子スチルカメラ装置。
【請求項３】
ズームレンズを有し、撮像された映像信号から任意の１フィールドまたは１フレームの信号を抽出して記録する電子スチルカメラの撮影方法であって、
前記撮影時に前記ズームレンズ位置を変化させてズームを行うズーム手段を有し、
前記撮像された映像信号の表示される液晶ディスプレイが設けられると共に、この液晶ディスプレイにタッチパネルが装着され、
前記液晶ディスプレイに表示される画像に重畳して表示面の中心に対して同心で前記表示面の外枠と相似の矩形の複数のズーム枠をグラフィック表示し、
前記ズームレンズ位置を変化させることにより、前記タッチパネルにより前記複数の中から指示された前記ズーム枠が前記表示面の外枠と一致するように前記ズーム手段を制御する
ことを特徴とする電子スチルカメラの撮影方法。
【請求項４】
請求項３記載の電子スチルカメラの撮影方法において、
前記ズームレンズを通じて撮像された映像信号を記録する
ことを特徴とする電子スチルカメラの撮影方法。
【発明の詳細な説明】
【０００１】
【発明の属する技術分野】
本発明は、撮像された映像信号から任意の１フィールドまたは１フレームの信号を抽出して記録する電子スチルカメラ装置及び電子スチルカメラの撮影方法に関するものである。
【０００２】
【従来の技術】
例えばＣＣＤ撮像素子が設けられ、このＣＣＤ撮像素子で撮像された映像信号から任意の１フィールドまたは１フレームの信号を抽出して記録する電子スチルカメラ装置が実施されている。
【０００３】
このような装置において、例えばレンズ系の画角を広角から望遠まで任意に変更できるズーム手段が設けられている場合に、従来の装置では、このようなズーム手段の制御を、例えば広角方向と望遠方向の２つの操作ボタンを用いて行うようにされている。このためこのような装置を用いて、所望の画角を得るためには、上述の２つの操作ボタンの一方を押し続けたり、繰り返し押したりするなど、極めて煩わしい操作が必要であった。
【０００４】
なお、本発明の要旨の一部であるタッチパネルを用いて電子スチルカメラの操作を行う技術に関しては、特許文献１及び特許文献２が挙げられるが、いずれも具体的な手段を開示したものではなく、特に特許文献２の第５図は、操作をし易くするために画面の一部を拡大することを示しているだけのものである。
【０００５】
【特許文献１】
特開平３−２５５４３０号公報
【特許文献２】
特開平１−１９３７０８号公報
【０００６】
【発明が解決しようとする課題】
この出願はこのような点に鑑みて成されたものであって、解決しようとする問題点は、従来の装置ではズームの操作を行う場合に、極めて煩わしい操作が必要であったというものである。
【０００７】
【課題を解決するための手段】
このため本発明においては、液晶ディスプレイに表示される画像に重畳して複数のズーム枠をグラフィック表示し、タッチパネルにより指示されたズーム枠に応じてズーム手段を制御するようにしたものであって、これによれば、タッチパネルを用いて操作の指示を行うので、ズームの操作を極めて容易に行うことができる。
【０００８】
【発明の実施の形態】
すなわち本発明は、ズームレンズを有し、撮像された映像信号から任意の１フィールドまたは１フレームの信号を抽出して記録する電子スチルカメラ装置及び電子スチルカメラの撮影方法であって、撮影時にズームレンズ位置を変化させてズームを行うズーム手段を有し、撮像された映像信号の表示される液晶ディスプレイが設けられると共に、この液晶ディスプレイにタッチパネルが装着され、液晶ディスプレイに表示される画像に重畳して表示面の中心に対して同心で表示面の外枠と相似の矩形の複数のズーム枠をグラフィック表示し、ズームレンズ位置を変化させることにより、タッチパネルにより複数の中から指示されたズーム枠が表示面の外枠と一致するようにズーム手段を制御してなるものである。
【０００９】
以下、図面を参照して本発明を説明するに、図１は本発明による電子スチルカメラ装置及び電子スチルカメラの撮影方法の適用される電子スチルカメラ装置の一例の回路構成を示すブロック図である。
【００１０】
図１において、被写体（図示せず）からの映像光は、レンズ系１を通じてＣＣＤ撮像素子２の撮像面に照射され、映像信号が取り出される。この映像信号が増幅器３、信号処理回路４を通じてＡ／Ｄ変換回路５に供給され、所定のビット数でディジタル変換される。このディジタル変換された画像データがスイッチ６を通じて画像メモリ（フレームメモリ）７に書き込まれる。
【００１１】
さらにこの画像メモリ７に書き込まれた画像データが画像記録装置８に供給されて記録される。なおこの画像記録装置８の記録媒体にはＩＣカードやフロッピー（登録商標）ディスク等を用いられる。またこの画像記録装置８からの再生信号がスイッチ６を通じて画像メモリ７に書き込まれる。
【００１２】
また画像メモリ７に書き込まれた画像データが混合器９に供給されてグラフィックメモリ１０、テキストメモリ１１からの信号が混合される。なおグラフィックメモリ１０には後述するタッチパネルでから指定した位置を示す枠等が記憶されている。またテキストメモリ１１には操作の指示や状態等のコメント文が記憶されている。この混合器９からの信号がＤ／Ａ変換回路１２に供給され、アナログ変換された画像データが液晶ディスプレイ（ＬＣＤ）１３に供給される。
【００１３】
従ってこの装置において、ＣＣＤ撮像素子２で撮像された画像データが画像メモリ７に書き込まれる。そしてこの画像にグラフィックメモリ１０、テキストメモリ１１からの画像が合成された画像が液晶ディスプレイ１３に表示される。またこの画像メモリ７に書き込まれた画像データが画像記録装置８の記録媒体に記録される。さらにこの画像記録装置８からの再生信号がスイッチ６を通じて画像メモリ７に書き込まれ、この画像が液晶ディスプレイ１３に表示される。
【００１４】
さらにこの液晶ディスプレイ１３の表示面の前面にタッチパネル１４が設けられる。また液晶ディスプレイ１３の表示面の近傍に任意の操作釦１５が設けられる。これらのタッチパネル１４及び操作釦１５からの信号がシステム制御装置１６に供給される。
【００１５】
また画像メモリ７に書き込まれた画像データが画面上の所望のエリアの切り出しメモリ１７に供給され、この切り出しメモリ１７からの信号が合焦検出回路１８及び測光回路１９に供給される。これらの合焦検出回路１８及び測光回路１９からの信号がシステム制御装置１６に供給される。
【００１６】
さらにこのシステム制御装置１６からの制御信号が、信号処理回路４、Ａ／Ｄ変換回路５、画像メモリ７、記録装置８、グラフィックメモリ１０、テキストメモリ１１、切り出しメモリ１７、合焦検出回路１８及び測光回路１９に供給される。またレンズ系制御回路２０及びＣＣＤ制御回路２１に供給される。
【００１７】
また図２は本発明による電子スチルカメラ装置の一例の外観の構成を示す斜視図である。この図において、レンズ系１の設けられた本体ボディ１００の背面に液晶ディスプレイ１３と、この表示面の前面にタッチパネル１４が設けられる。また液晶ディスプレイ１３の表示面の近傍に操作釦１５が設けられる。なお操作釦１５には、記録釦１５ａ、リセット釦１５ｂ、部分測光釦１５ｃ、部分フォーカス釦１５ｄ、オートズーム釦１５ｅなどが設けられる。
【００１８】
そしてこの装置において、システム制御装置１６での処理のフローチャートは図３〜図９に示すようになる。
【００１９】
すなわち図３は操作釦１５検出のルーチンであって、動作がスタートされるとステップ〔１〕でオートズーム釦１５ｅがオンされたか否かが判断される。次にステップ〔２〕で部分フォーカス釦１５ｄがオンされたか否かが判断される。さらにステップ〔３〕で部分測光釦１５ｃがオンされたか否かが判断される。またステップ〔４〕で記録釦１５ａがオンされたか否かが判断される。
【００２０】
ここでステップ〔１〕〜〔４〕がいずれも否のとき（Ｎ）はこれらのステップが繰り返される。そしてステップ〔１〕でオートズーム釦１５ｅがオンされたとき（Ｙ）はオートズームのサブルーチンがコールされる。またステップ〔２〕で部分フォーカス釦１５ｄがオンされたとき（Ｙ）は部分フォーカスのフォーカスエリア指示のサブルーチンがコールされる。さらにステップ〔３〕で部分測光釦１５ｃがオンされたとき（Ｙ）は部分測光の測光エリア指示のサブルーチンがコールされる。
【００２１】
これに対してステップ〔４〕で記録釦１５ａがオンされたとき（Ｙ）はステップ〔５〕で記録が行われる。さらにステップ〔６〕で、部分測光エリア及び部分フォーカスエリアにデフォルト値が設定され、グラフィックメモリ１０、テキストメモリ１１がクリアされてステップ〔１〕に戻される。
【００２２】
また図４はオートズームのサブルーチンである。この図において、動作がスタートされるとステップ〔７〕でレンズ系１のズームレンズの位置が制御回路２０から読み込まれ、許容倍率と、任意のズーム位置の画角（枠）が計算される。次にステップ〔８〕でズームが可能であるか否かが判断される。ここでズームが可能でないとき（Ｎ）はステップ〔９〕で図１０のＡに示すような画面がテキストメモリ１１から出力されて、上述の操作釦検出ルーチンのステップ〔２〕に戻される。
【００２３】
一方、ステップ〔８〕でズームが可能なとき（Ｙ）はステップ〔１０〕で図１０のＢに示すような画面がテキストメモリ１１から出力される。さらにステップ〔１１〕でタッチパネル１４に触れられたか否かが判断される。次にステップ〔１２〕で部分フォーカス釦１５ｄがオンされたか否かが判断される。さらにステップ〔１３〕で部分測光釦１５ｃがオンされたか否かが判断される。またステップ〔１４〕でリセット釦１５ｂがオンされたか否かが判断される。さらにステップ〔１５〕で記録釦１５ａがオンされたか否かが判断される。
【００２４】
ここでステップ〔１１〕〜〔１５〕がいずれも否のとき（Ｎ）はこれらのステップが繰り返される。そしてステップ〔１２〕で部分フォーカス釦１５ｄがオンされたとき（Ｙ）は部分フォーカスのフォーカスエリア指示のサブルーチンがコールされる。またステップ〔１３〕で部分測光釦１５ｃがオンされたとき（Ｙ）は部分測光の測光エリア指示のサブルーチンがコールされる。
【００２５】
これに対してステップ〔１１〕でタッチパネル１４に触れられたとき（Ｙ）はステップ〔１６〕でズームレンズの位置が決定され、記憶される。またステップ〔１７〕でオートモードが設定され、ステップ〔１８〕でグラフィックメモリ１０、テキストメモリ１１がクリアされて、上述の操作釦検出ルーチンのステップ〔２〕に戻される。
【００２６】
またステップ〔１４〕でリセット釦１５ｂがオンされたとき（Ｙ）もステップ〔１８〕でグラフィックメモリ１０、テキストメモリ１１がクリアされて上述の操作釦検出ルーチンのステップ〔２〕に戻される。さらにステップ〔４〕で記録釦１５ａがオンされたとき（Ｙ）は上述の操作釦検出ルーチンのステップ〔５〕に戻される。
【００２７】
なおズームの動作は図５に示すように行われる。すなわち図において、ステップ〔１９〕でオートモードが設定されたか否かが判断される。そして設定されていないとき（Ｎ）はステップ〔２０〕でマニュアル設定が行われてステップ〔１９〕に戻される。
【００２８】
またステップ〔１９〕でオートモードが設定されていたとき（Ｙ）はステップ〔２１〕でズームレンズの位置が読み出され、ステップ〔２２〕でズームレンズが駆動される。これによって画面は例えば図１０のＢの画面で枠Ａが触れられた場合に同図のＣに示すようになる。そしてステップ〔２３〕でオートモードが解除されてステップ〔１９〕に戻される。これらの動作が繰り返し行われる。
【００２９】
さらに図６は部分フォーカスのフォーカスエリア指示のサブルーチンである。この図において、動作がスタートされるとステップ〔２４〕で１点フォーカスが設定され、所定の釦無視時間Ｔが設定され、グラフィックメモリ１０がクリアされ、図１１のＡに示すような画面がテキストメモリ１１から出力される。次にステップ〔２５〕でＴ≦０か否かが判断される。そしてＴ≦０でないとき（Ｎ）はステップ〔２６〕でＴがカウントダウンされて、後述する処理に進められる。
【００３０】
これに対してステップ〔２５〕でＴ≦０になったとき（Ｙ）はステップ〔２７〕で部分フォーカス釦１５ｄがオンされたか否かが判断される。ここで部分フォーカス釦１５ｄがオンされなかったとき（Ｎ）は後述する処理に進められる。また部分フォーカス釦１５ｄがオンされたとき（Ｙ）はステップ〔２８〕で所定の釦無視時間Ｔが設定され、ステップ〔２９〕で２点フォーカスモードであるか否かが判断される。
【００３１】
ここで２点フォーカスモードのとき（Ｙ）はステップ〔３０〕で１点フォーカスモードとされ、図１１のＡに示すような画面がテキストメモリ１１から出力される。また２点フォーカスモードでないとき（Ｎ）はステップ〔３１〕で２点フォーカスモードとされ、図１１のＣに示すような画面がテキストメモリ１１から出力される。そしてステップ〔２６〕でＴがカウントダウンされて、後述する処理に進められる。
【００３２】
さらにステップ〔３２〕でタッチパネル１４に触れられたか否かが判断される。次にステップ〔３３〕でオートズーム釦１５ｅがオンされたか否かが判断される。さらにステップ〔３４〕で部分測光釦１５ｃがオンされたか否かが判断される。またステップ〔３５〕でリセット釦１５ｂがオンされたか否かが判断される。さらにステップ〔３６〕で記録釦１５ａがオンされたか否かが判断される。
【００３３】
ここでステップ〔３２〕〜〔３６〕がいずれも否のとき（Ｎ）はステップ〔２５〕に戻される。そしてステップ〔３３〕でオートズーム釦１５ｅがオンされたとき（Ｙ）はオートズームのサブルーチンがコールされる。またステップ〔３４〕で部分測光釦１５ｃがオンされたとき（Ｙ）は部分測光の測光エリア指示のサブルーチンがコールされる。
【００３４】
これに対してステップ〔３２〕でタッチパネル１４に触れられたとき（Ｙ）はステップ〔３７〕で２点フォーカスであるか否かが判断される。ここで２点フォーカスでないとき（Ｎ）はステップ〔３８〕で図１１のＢに示すような画面がグラフィックメモリ１０及びテキストメモリ１１から出力され、フォーカスエリアに指定値が設定されて、ステップ〔２５〕に戻される。
【００３５】
またステップ〔３７〕で２点フォーカスのとき（Ｙ）はステップ〔３９〕で１点目の指示を終了したか否かが判断される。ここで終了していないとき（Ｎ）はステップ〔４０〕で１点目のフォーカスエリアとして記憶し、１点目の指示を終了し、図１１のＤに示すような画面がグラフィックメモリ１０及びテキストメモリ１１から出力されて、ステップ〔２５〕に戻される。
【００３６】
さらにステップ〔３９〕で１点目の指示を終了したとき（Ｙ）はステップ〔４１〕で２点目のフォーカスエリアとして記憶し、図１１のＥに示すような画面がグラフィックメモリ１０及びテキストメモリ１１から出力されて、上述の操作釦検出ルーチンのステップ〔３〕に戻される。
【００３７】
またステップ〔３５〕でリセット釦１５ｂがオンされたとき（Ｙ）もステップ〔４２〕でグラフィックメモリ１０、テキストメモリ１１がクリアされ、部分フォーカスエリアにデフォルト値が設定されて上述の操作釦検出ルーチンのステップ〔３〕に戻される。さらにステップ〔３６〕で記録釦１５ａがオンされたとき（Ｙ）は上述の操作釦検出ルーチンのステップ〔５〕に戻される。
【００３８】
なおフォーカス合わせの動作は図７に示すように行われる。すなわち図において、ステップ〔４３〕で２点フォーカスが設定されたか否かが判断される。そして設定されていないとき（Ｎ）はステップ〔４４〕で指定位置の画像データが取り込まれ、ステップ〔４５〕で合焦検出処理が行われる。さらにステップ〔４６〕で合焦か否かが判断され、合焦のとき（Ｙ）はステップ〔４３〕に戻される。また合焦でないとき（Ｎ）はステップ〔４７〕で焦点調整レンズが駆動されてステップ〔４４〕に戻される。
【００３９】
またステップ〔４３〕で２点フォーカスが設定されていたとき（Ｙ）はステップ〔４８〕で１点目のフォーカスエリアの指定位置の画像データが取り込まれ、ステップ〔４９〕で合焦検出処理が行われる。さらにステップ〔５０〕で合焦か否かが判断され、合焦でないとき（Ｎ）はステップ〔５１〕で焦点調整レンズが駆動されてステップ〔４８〕に戻される。
【００４０】
さらにステップ〔５０〕で合焦のとき（Ｙ）はステップ〔５２〕で焦点調整レンズの位置が記憶される。またステップ〔５３〕で２点目のフォーカスエリアの指定位置の画像データが取り込まれ、ステップ〔５４〕で合焦検出処理が行われる。さらにステップ〔５５〕で合焦か否かが判断され、合焦でないとき（Ｎ）はステップ〔５６〕で焦点調整レンズが駆動されてステップ〔５３〕に戻される。
【００４１】
そしてステップ〔５５〕で合焦のとき（Ｙ）はステップ〔５７〕で焦点調整レンズの位置が記憶される。これらのステップ〔５２〕、〔５７〕で記憶された焦点調整レンズの位置を用いてステップ〔５８〕で焦点調整レンズが駆動される。さらにこれらの動作が繰り返し行われる。
【００４２】
また図８は部分測光の測光エリア指示のサブルーチンである。この図において、動作がスタートされるとステップ〔５９〕で平均測光が設定され、所定の釦無視時間Ｔが設定され、グラフィックメモリ１０がクリアされ、図１２のＡに示すような画面がテキストメモリ１１から出力される。次にステップ〔６０〕でＴ≦０か否かが判断される。そしてＴ≦０でないとき（Ｎ）はステップ〔６１〕でＴがカウントダウンされて、後述する処理に進められる。
【００４３】
これに対してステップ〔６０〕でＴ≦０になったとき（Ｙ）はステップ〔６２〕で部分測光釦１５ｃがオンされたか否かが判断される。ここで部分測光釦１５ｃがオンされなかったとき（Ｎ）は後述する処理に進められる。また部分測光釦１５ｃがオンされたとき（Ｙ）はステップ〔６３〕で所定の釦無視時間Ｔが設定され、ステップ〔６４〕で平均測光であるか否かが判断される。
【００４４】
ここで平均測光のとき（Ｙ）はステップ〔６５〕で重点測光とされ、図１２のＢに示すような画面がテキストメモリ１１から出力される。また平均測光でないとき（Ｎ）はステップ〔６６〕で平均測光とされ、図１２のＡに示すような画面がテキストメモリ１１から出力される。そしてステップ〔６１〕でＴがカウントダウンされて、後述する処理に進められる。
【００４５】
さらにステップ〔６７〕で１つ目のコーナーの指示が終了したか否かが判断される。またステップ〔６８〕でタッチパネル１４に触れられたか否かが判断される。次にステップ〔６８〕でオートズーム釦１５ｅがオンされたか否かが判断される。さらにステップ〔７０〕で部分フォーカス釦１５ｄがオンされたか否かが判断される。またステップ〔７１〕でリセット釦１５ｂがオンされたか否かが判断される。さらにステップ〔７２〕で記録釦１５ａがオンされたか否かが判断される。
【００４６】
ここでステップ〔６７〕〜〔７２〕がいずれも否のとき（Ｎ）はステップ〔６０〕に戻される。そしてステップ〔６９〕でオートズーム釦１５ｅがオンされたとき（Ｙ）はオートズームのサブルーチンがコールされる。またステップ〔７０〕で部分フォーカス釦１５ｄがオンされたとき（Ｙ）は部分フォーカスのフォーカスエリア指示のサブルーチンがコールされる。
【００４７】
これに対してステップ〔６８〕でタッチパネル１４に触れられたとき（Ｙ）はステップ〔７４〕で、図１２のＣまたはＥに示すような画面がグラフィックメモリ１０及びテキストメモリ１１から出力される。さらにステップ〔７５〕でタッチパネル１４に触れられたか否かが判断される。
【００４８】
そしてステップ〔７５〕でタッチパネル１４に触れられたとき（Ｙ）はステップ〔７６〕で図１２のＤまたはＦに示すような画面がグラフィックメモリ１０及びテキストメモリ１１から出力され、測光エリアデータに指定枠が加えられて、ステップ〔６０〕に戻される。
【００４９】
なおステップ〔６７〕で１つ目のコーナーの指示が終了したとき（Ｙ）はステップ〔７５〕に進められる。またステップ〔７５〕でタッチパネル１４に触れられていないとき（Ｎ）はステップ〔６９〕に進められる。
【００５０】
またステップ〔７１〕でリセット釦１５ｂがオンされたとき（Ｙ）もステップ〔７７〕でグラフィックメモリ１０、テキストメモリ１１がクリアされ、部分測光エリアデータにデフォルト値が設定されて、上述の操作釦検出ルーチンのステップ〔４〕に戻される。さらにステップ〔７２〕で記録釦１５ａがオンされたとき（Ｙ）は上述の操作釦検出ルーチンのステップ〔５〕に戻される。
【００５１】
なお露出合わせの動作は図９に示すように行われる。すなわち図において、ステップ〔７８〕で部分測光が設定されたか否かが判断される。そして設定されていないとき（Ｎ）はステップ〔７９〕で指定エリアの画像データが取り込まれ、ステップ〔８０〕でマルチパターン測光処理が行われる。
【００５２】
さらにステップ〔７８〕で部分測光が設定されたとき（Ｙ）はステップ〔８１〕で重点測光が設定されたか否かが判断される。そして設定されたとき（Ｙ）はステップ〔８２〕で指定エリアの画像データが取り込まれ、ステップ〔８３〕で重点測光処理が行われる。またステップ〔８１〕で重点測光が設定されていないとき（Ｎ）はステップ〔８４〕で指定エリアの画像データが取り込まれ、ステップ〔８５〕で平均測光処理が行われる。
【００５３】
またステップ〔８６〕で２点フォーカスが設定されたか否かが判断される。そして設定されていないとき（Ｎ）はステップ〔８７〕で露出が決定される。さらにステップ〔８６〕で２点フォーカスが設定されていたとき（Ｙ）はステップ〔８８〕で２点の位置に応じて絞りを大きめにして露出が決定される。なおこの露出の決定は、例えば２点の位置に対応したテーブルを用いて行われる。そしてステップ〔８９〕で絞り、シャッタースピード等が設定されてステップ〔７８〕に戻される。
【００５４】
従ってこの装置において、撮影画像は一定間隔でリフレッシュされ、これにテキストとグラフィックとが合成されて液晶ディスプレイ１３に表示されている。それと並行して図３に示すように操作釦１５の検出を行っており、釦１５ａ〜１５ｅが押されたときそれぞれのモードに切り替わる。また、ズーム、フォーカス合わせ、露出合わせの設定動作もそれぞれ並行して行う。
【００５５】
そしてまずオートズーム釦１５ｅが押されると、図４に示すオートズーム指定モードに入る。すなわちまず現在のズームレンズの位置を読み込み、ズームレンズの動ける範囲を計算し、ズームが最大に近ければ、拡大ズームができないので図１０のＡに示すようなテキスト文を表示し、釦検出ルーチンへ戻る。
【００５６】
またズーム可能なときは、図１０のＢに示すように適当な数の、表示面の中心に対して同心で上記表示面の外枠と相似の矩形のズーム枠をグラフィック表示し、テキスト文で枠の選択を促す。そしてタッチパネル１４が触れられて枠が選択されると、先に計算したその倍率のズームレンズ位置を記憶するとともにオートモードに設定する。
【００５７】
一方、ズーム動作は図５で、オートモードになっているとオートズーム指定モードで決定した位置にズームレンズを駆動する。例えば図１０のＢで枠Ａを選択すると、図１０のＣのように枠Ａ内の画像が画面いっぱいになるようにズームされる。なお、図４でタッチパネル待ちのときは、タッチパネル１４に触れるまでは操作釦１５の検出を行い、他の操作釦が押された場合はそちらを優先させる。
【００５８】
次に、部分フォーカスモードには１点フォーカスと２点フォーカスとがある。１点フォーカスは画面の任意の１点を指定してそこに焦点を合わせることをいう。また２点フォーカスとはカメラからの距離が若干違う２点を指定したとき、その２点のフォーカスを同時に合わせようとするもので、方法としては焦点位置が２点の中間になるようにフォーカスレンズを動かし、２点のフォーカスレンズ位置に応じて絞り量を大きくし、被写体深度を大きくしてフォーカスしやすいようにしている。なお、部分フォーカスエリア指定を行わないときは、例えば中央部フォーカスとし、デフォルトの画像エリアを設定している。
【００５９】
そして部分フォーカス釦１５ｄが押されると、図６に示す部分フォーカスエリア指定モードにはいり、１点フォーカスに設定され、図１１のＡのようにテキスト表示される。また部分フォーカス釦１５ｄが押されて一定時間後、タッチパネルや他の釦が押されないで、再度部分フォーカス釦１５ｄが押されたとき、１点フォーカスのときは２点フォーカスに、２点フォーカスのときは１点フォーカスに入れ替わり、１点フォーカスのときは図１１のＡ、２点フォーカスのときは同図のＣのようなテキストが表示される。
【００６０】
さらに１点フォーカスのときは、図１１のＡの状態でフォーカスする点をタッチパネル１４で指示すると、同図のＢのように指示した所に丸印がグラフィック表示され、フォーカスエリアの設置値を、指定場所を中心として、例えば縦５０×横５０画素記憶し、操作釦とタッチパネルの待機状態に戻る。１点フォーカスではタッチパネル１４に再度触れることでフォーカス点の変更ができる。
【００６１】
また２点フォーカスの指定方法は、図１１のＣの状態でフォーカスする点をタッチパネル１４で指示したとき、１点目を指示したことになり、同図のＤのように指示した所に丸印がグラフィック表示され、フォーカスエリアの設置値を、指定場所を中心として、例えば縦５０×横５０画素記憶し、操作釦とタッチパネルの待機状態に戻る。
【００６２】
このときテキスト文は２点目を指示するように表示され、ここでタッチパネル１４で２点目を指示すると、図１１のＥのように１点目と２点目の場所に丸印が表示され、２点目のフォーカスエリアの設置値を、指定場所を中心として、例えば縦５０×横５０画素記憶し、フォーカスエリア指定モードから抜ける。なおタッチパネル待ちのときにはタッチパネル１４に触れるまでは操作釦１５の検出を行い、他の操作釦が押された場合はそちらを優先させる。またテキスト及びグラフィック表示は、いずれかの操作釦が押されるまではそのまま保たれる。
【００６３】
一方、フォーカス合わせの動作を図７に示す。１点フォーカスでは部分フォーカスエリア指定モード、あるいはデフォルト値で指定したフォーカスエリアの画像データを画像メモリから切り出しメモリ１７に読み込みそのデータを合焦検出回路１８に送って合焦を判断、合焦でなければフォーカスレンズの位置を動かすというループを繰り返し、フォーカス合わせを行う。
【００６４】
また２点フォーカスのときは、１点目で指定したフォーカスエリアの画像データによってフォーカス合わせ、このときのフォーカスレンズの位置を記憶する。つぎに２点目で指定したフォーカスエリアの画像データによってフォーカス合わせる。そしてこのときのフォーカスレンズの位置と１点目のフォーカスレンズの位置とからフォーカスが２点の中間になる位置を算出する。
【００６５】
そしてフォーカスレンズを２点のフォーカス位置の中間位置に動かし、後述する露出合わせの際、２点のフォーカスレンズの位置に応じて絞りを大きくする。なお２点フォーカスでは、フィードバックをかけないので必ずしも２点に良好にフォーカスを合わせられないことがあるが、それは液晶ディスプレイ１３の画像をみて撮影者が判断するものとする。
【００６６】
さらに測光には平均測光と重点測光とがある。平均測光というのは指定された測光エリアの画像データの平均光量を測定し露出を決定する。また重点測光とは重み付けした測光エリアの画像データの光量と全画像データの光量との平均光量から露出を決定するやりかたとした。なお部分測光でのエリアの指定がないときは、例えばマルチパターン測光とし、あらかじめ決めた複数のエリアの測光データから露出を求める。
【００６７】
そして部分測光釦１５ｃが押されると、図８に示す部分測光エリア指定モードにはいり、はじめは図１２のＡのような画面となり平均測光に設定される。また部分測光釦１５ｃが押されて一定時間後、タッチパネルや他の釦が押されないで、再度部分測光釦１５ｃが押されたとき、平均測光のときは重点測光に、重点測光のときは平均測光に入れ替わり、平均測光のときは図１２のＡ、重点測光のときは同図のＢのようなテキストが表示される。
【００６８】
部分測光エリアは長方形とし、対角のコーナー２点で指定する。すなわち図１２のＡあるいは同図のＢの状態で測光エリアの長方形の１つのコーナーをタッチパネル１４で指示すると、同図のＣの指示した所に丸印がグラフィック表示され、テキストでは対角のコーナーを指示するようにうながされる。このようにタッチパネル１４で対角コーナーを指示すると、同図のＤのような画面となり、１つの測光エリアが指定できたことを示す。
【００６９】
同じ操作を繰り返し、複数の測光エリアを指定することもできる。同図のＥは２個目のエリアの最初のコーナーを指定したときの画面、同図のＦは２個目のエリアの対角コーナーを指定したときの画面である。なおタッチパネル待ちのときにはタッチパネル１４に触れるまでは操作釦１５の検出を行い、他の操作釦が押された場合はそちらを優先させる。
【００７０】
一方、露出合わせの動作を図９に示す。この図で、まず測光モードを判断し、それぞれの測光モードに応じて画像メモリから指定された画像を切り出しメモリ１７に読み込み、測光回路１９によりデータ処理を行い露出を決定する。露出決定の際、上述の２点フォーカスが指定されていたら、フォーカス合わせのとき求めた２点のフォーカス位置に応じて絞りを大きめにし、シャッタースピードを求めるようにして露出を決定する。さらに露出が決まったら絞りとシャッタースピードを設定する。
【００７１】
こうして上述の装置によれば、液晶ディスプレイに表示される画像に重畳して複数のズーム枠をグラフィック表示し、タッチパネルにより指示されたズーム枠に応じてズーム手段を制御するようにしたことによって、タッチパネルを用いて操作の指示を行うので、ズームの操作を極めて容易に行うことができるものである。
【００７２】
なお上述の装置において、オートズームの設定は測光エリアの指定と同様に例えば対角のコーナー２点で指定するようにしてもよい。その場合にいわゆる電子ズームを用いれば、画面上の任意の部分をズームすることができる。なお電子ズームは現状では画質の劣化を伴うので好ましくはない。
【００７３】
さらに上述の装置において、操作釦１５はそのためのグラフィックを用意してタッチパネル１４の中に設けることもできる。
【００７４】
【発明の効果】
本発明は、ズームレンズを有し、撮像された映像信号から任意の１フィールドまたは１フレームの信号を抽出して記録する電子スチルカメラ装置及び電子スチルカメラの撮影方法であって、撮影時にズームレンズ位置を変化させてズームを行うズーム手段を有し、撮像された映像信号の表示される液晶ディスプレイが設けられると共に、この液晶ディスプレイにタッチパネルが装着され、液晶ディスプレイに表示される画像に重畳して表示面の中心に対して同心で表示面の外枠と相似の矩形の複数のズーム枠をグラフィック表示し、ズームレンズ位置を変化させることにより、タッチパネルにより複数の中から指示されたズーム枠が表示面の外枠と一致するようにズーム手段を制御するものであり、これによれば、タッチパネルを用いて操作の指示を行うので、ズームの操作を極めて容易に行うことができるようになった。
【図面の簡単な説明】
【図１】本発明による電子スチルカメラ装置の一例の回路構成を示すブロック図である。
【図２】本発明による電子スチルカメラ装置の一例の外観の構成を示す斜視図である。
【図３】その説明のためのフローチャート図である。
【図４】その説明のためのフローチャート図である。
【図５】その説明のためのフローチャート図である。
【図６】その説明のためのフローチャート図である。
【図７】その説明のためのフローチャート図である。
【図８】その説明のためのフローチャート図である。
【図９】その説明のためのフローチャート図である。
【図１０】その説明のための画面の構成図である。
【図１１】その説明のための画面の構成図である。
【図１２】その説明のための画面の構成図である。
【符号の説明】
１…レンズ系、２…ＣＣＤ撮像素子、３…増幅器、４…信号処理回路、５…Ａ／Ｄ変換回路、６…スイッチ、７…画像メモリ（フレームメモリ）、８…記録装置、９…混合器、１０…グラフィックメモリ、１１…テキストメモリ、１２…Ｄ／Ａ変換回路、１３…液晶ディスプレイ（ＬＣＤ）、１４…タッチパネル、１５…操作釦、１６…システム制御装置、１７…切り出しメモリ、１８…合焦検出回路、１９…測光回路、２０…レンズ系制御回路、２１…ＣＣＤ制御回路
【図１】
0003620534.tif 000002
【図２】
0003620534.tif 000003
【図３】
0003620534.tif 000004
【図４】
0003620534.tif 000005
【図５】
0003620534.tif 000006
【図６】
0003620534.tif 000007
【図７】
0003620534.tif 000008
【図８】
0003620534.tif 000009
【図９】
0003620534.tif 000010
【図１０】
0003620534.tif 000011
【図１１】
0003620534.tif 000012
【図１２】
0003620534.tif 000013